(57)【特許請求の範囲】
【請求項１】
バンドの両端部に取り付けられて、相互に分離可能に連結される第１のバックル部材および第２のバックル部材を有するバックルであつて、前記第１のバックル部材の裏面側には１対のかぎ部材と該かぎ部材の間に第１のマグネットとを配設し、前記第２のバックル部材には前記かぎ部材に対応する位置に係止部付挿入孔を穿設すると共に前記第１のマグネットに対峙し前記挿入孔の係止部側寄りに移動可能な第２のマグネットとを設けてなり、前記かぎ部材を前記挿入孔に挿入して第１のバックル部材および第２のバックル部材を重ね合わせたとき、前記第１のマグネットおよび第２のマグネットの磁力により、前記かぎ部材の係止片が前記挿入孔の係止切欠に係止して締着されると共に前記マグネット同士の磁力で第１のバックル部材が第２のバックル部材に対し移動固着できるようにしたことを特徴とするバックル 。
【請求項２】
第１のバックル部材および第２のバックル部材に、前記係止片の前記係止切欠に対する係止状態を保持する係止保持部材を設けたことを特徴とする請求項１に記載のバックル。
【発明の詳細な説明】
【０００１】
【発明の属する技術分野】
本発明は、締着端部が分離可能な腕時計バンドや磁気バンドなどのバンド（ブレスレット）に用いられるバックルに関する。
【０００２】
【従来の技術】
従来から、腕時計バンドや磁気バンドなどには開放型タイプおよび閉止型タイプがあり、閉止型タイプのバンドは途中で分離不可能であるため、使用時にはこれに手首部を通す必要がある。従って、手首部において内径が拡大および縮小する例えば折り畳み型のバックル構成とされる。一方、開放型タイプのバンドは途中で分離可能であるため、手首部に対する着脱が容易である。
【０００３】
【発明が解決しようとする課題】
しかしながら、このような開放型タイプのバンドにあっては、手首部に装着しているとき、何らかの衝撃を受けて分離し手首部から外れて落下したり、または落下に気付かずに紛失してしまう場合が多々あった。また、このような不都合を解決するため、これまではチェーンを併設したり締着部分の連結状態を安定保持するために複雑な構成が別途採用されている。しかし、このような複雑な構成を採用することにより、バンド全体のコストアップを招くほか、バンドを手首部に着脱する操作が面倒になるという問題があった。
【０００４】
本発明は前記のような従来のバックルの問題点を解決したもので、手首部へのバンドの着脱が容易であり、バンドの装着中はバックル部材どうしの磁気的、機械的なロック作用によって、締着部分での不用意な分離および脱落を確実に防止できるバックルを提供することを目的とする。
【０００５】
【課題を解決するための手段】
前記目的を達成するために、本発明の請求項１に係るバックルは、バンドの両端部に取り付けられて、相互に分離可能に連結される第１のバックル部材および第２のバックル部材を有するバックルであつて、前記第１のバックル部材の裏面側には１対のかぎ部材と該かぎ部材の間に第１のマグネットとを配設し、前記第２のバックル部材には前記かぎ部材に対応する位置に係止部付挿入孔を穿設すると共に前記第１のマグネットに対峙し前記挿入孔の係止部側寄りに移動可能な第２のマグネットとを設けてなり、前記かぎ部材を前記挿入孔に挿入して第１のバックル部材および第２のバックル部材を重ね合わせたとき、前記第１のマグネットおよび第２のマグネットの磁力により、前記かぎ部材の係止片が前記挿入孔の係止切欠に係止して締着されると共に前記マグネット同士の磁力で第１のバックル部材が第２のバックル部材に対し移動固着できるようにしたことを特徴とする。
【０００６】
請求項１に係る発明にあっては、第１のバックル部材と第２のバックル部材とを重ね合わせて、かぎ部材を挿入孔に挿入すると、第１のマグネットおよび第２のマグネットが相互に作用する磁力で、かぎ部材の係止片を前記挿入孔の係止切欠に自動係止させることができる。また、第１のバックル部材を第２のバックル部材方向に押圧することにより、マグネットの磁力を徐々に解除させると共に、かぎ部材の係止を解除させて、第１のバックルを第２のバックル部材から簡単で自由に分離することがきる。
【０００７】
また、請求項２に係るバックルは、第１のバックル部材および第２のバックル部材に、前記係止片の前記係止切欠に対する係止状態を保持する係止保持部材を設けたことを特徴とする。
請求項２によれば、第１のバックル部材と第２のバックル部材との結合状態が確実に保持され、従って、人為的操作なしで前記結合状態が不用意に解除されるのを確実に防止することができる。
【０００８】
【発明の実施の形態】
図面に示す実施例について、本発明を詳細に説明する。図１は本発明の一実施例を示す斜視図、図２は第１のバックル部材の側面図、図３同じく裏面図、図４は同じく正面図、図５および図６は第２のバックル部材の正面図および側面図である。また、図７はバックルの横断面図である。
【０００９】
本発明に係るバックルは、図１に示すように、第１のバックル部材１と、これに対峙する第２のバックル部材２とで構成される。これらの第１のバックル部材１と第２のバックル部材２の端部は、バンド３の両端部にそれぞれ連結部４を介して取り付けられている。このバンド３には、健康増進用のマグネット部材や装飾部材が取り付けられている。
【００１０】
本発明の第１のバックル部材１は、図１、図２乃至図４に示すように、細長の矩形状に形成されており、表面側が全体として極僅かに「く」の字状に曲がるように形成されている。裏面側は平坦面でほぼ中央部分にマグネット５が埋設されている。このマグネット５を挟んで対向する位置に、先端（後端）がＬ字状に屈曲した係止片６を設けた所定高さのかぎ（鉤）部材７，７が形設されている。なお、これらのかぎ部材７の屈曲方向は同方向で、図上バンド３の固定部材４方向（図中、右方向）となっている。
【００１１】
また、第１のバックル部材１の背面側で、前記ねかぎ部材７によってはさまれた位置には、肉厚内に食い込む所定深さの矩形状の凹部８が形成されている。この凹部８内に板状の第１のマグネット５が固着されている。なお、この第１のマグネット５は第１のバックル部材１の背面側に突出しない厚みに形成されている。
【００１２】
この第１のバックル部材１は、錆を発生しない金属材料、例えばニッケル・クロムによって矩形板状にモールド成形するのが好ましい。表面側中央部には特定のデザインを表わしたりするための表示部９を形設してもよい。そしてこの第１のバックル部材１の端部には、所定長に亘って肉厚に形成され、この肉厚部でバンド３の一端にて連結する連結部４が形設されている。
【００１３】
次に、第２のバックル部材２は、図１、図５乃至図６に示すように，第１のバックル部材１と同等の金属材料により、ほぼ同形の矩形板状にモールド成形されている。第２のバックル部材２の正面側は平坦面で、肉厚内に食い込む所定深さの凹部１０が形成されている。この凹部１０内には板状の第２のマグネット１１が挿着されており、この凹部１０を挟む２箇所に前記鉤部材７を挿入できる挿入孔１２が設けられている。これらの挿入孔１２には、図６、図７に示すように、Ｌ字状に屈曲するかぎ部材７の顎（あご）状の係止片６が係合する係合切欠１３が形設されている。
【００１４】
また、第２のバックル部材２にも左端部が所定長に亘って肉厚に形成されており、この肉厚部がバンド３のもう一方の端（他端）部と連結する連結部４となっている。
【００１５】
更に、第２のバックル部材２はバンド３に対して全体として僅かに「く」の字状に曲がるように成形されている。この第２のマグネット１１の取付面側が第１のバックル部材１の第１のマグネット５の取付面側に密接可能な平坦面となっている。
【００１６】
上述の第１のバックル部材１および第２のバックル部材はそれぞれバンド３の両端部、すなわち前記一端および他端に取り付けられており、人の手首部に装着されないときは、互いに分離されている。一方、人の手首部に装着されるときは、バンド３を湾曲させて、二つの端部の第１のバックル部材１および第２のバックル部材２を、図７に示すように第１のマグネット５および第２のマグネット１１が対向するように接合させる。
【００１７】
この接合は、図７に示すように、第２のバックル部材２に設けられた各挿入孔１２に第１のバックル部材１に設けられた各一のかぎ部材７をそれぞれ挿入することにより行われる。各挿入孔１２はかぎ部材７の係止部６を自由に挿入できる大きさを持つ。これらのかぎ部材７の挿入孔１２に対する挿入タイミングにおいては、第２のバックル部材２に対する第１のバックル部材２の接合位置は、図７（ｂ）において、鎖線で示す位置にあり、従って、かぎ部材７の係止片６も挿入孔１２内の鎖線で示す位置にある。
【００１８】
一方、このとき第２のマグネット１１に対して第１のマグネット５は同じく鎖線で示す位置にずれて正対していないため、二つのマグネット５、１１には相互に正対しようとする磁力が作用する。従って、この磁力は、第１のバックル部材１を第２のバックル部材２に対して矢印Ｐ方向に所定量だけ摺動させる力として作用する。このため、かぎ部材７は挿入孔１２内において同方向に移動し、かぎ部材７の係止片６が係合切欠１３に係合する。
【００１９】
従って、第１のバックル部材１の第２のバックル部材２に対する前述のような接合操作をするだけで、これらが二つのマグネット５、１１の電磁力によるかぎ部材７と係合切欠１３との係合保持によって、不用意に外力を受けても容易に分離することはない。仮に、外力を受けてもこの外力が継続しなければ、マグネット５、１１の電磁力により、再び元の係合保持状態に戻され、従ってバンド３が手首部から不用意に脱落することはない。
【００２０】
一方、前記のように係合保持状態の第１のバックル部材１を第２のバックル部材２から分離させるには、図７（a）に示すように、指操作によって第１のバックル部材１を矢印Ｐ方向とは反対方向にずらせて鎖線位置に保持させた後、この保持位置にて第２のバックル部材２から離すようにすればよい。
【００２１】
なお、この第１のバックル部材２の分離のための操作は、第２のバックル部材２の先端縁Ｑを支点にして、第１のバックル部材１を矢印Ｒ方向に回動させるようにすれば、比較的簡単かつスムースに行える。
【００２２】
図８は本発明の他の実施例を示す。これは第２のバックル部材２の一つの側面に筒状の軸支部材２１を固定し、この軸支持部材２１に一端部を支持させた長ループ部材２２の他端を、第１のバックル部材１の一つの側面に設けられた係止突起２３に対し係止保持可能としたものである。２４は長ループ部材２２の他端に取り付けられて、前記係止保持操作および係止保持解除操作を行うための球状の摘みである。
【００２３】
このような構成の係止保持部材Ｓを設けることにより、指操作による長ループ部材２２の係止突起２３に対する係合によって第１のバックル部材１の第２のバックル部材２に対する結合状態が更に安定に保持される。また、爪による摘み２４の操作によって長ループ部材２２の係止突起２３に対する前記係合保持状態を軽快かつ容易に解除でき、第１のバックル部材１の第２のバックル部材２に対する前記分離操作を容易に行うことができる。
【００２４】
【発明の効果】
本発明は以上述べた如く、第１のバックル部材と第２のバックル部材との係合状態を、これらが有するマグネットの磁力による摺動付勢によって保持させるようにしたことで、第１のバックル部材と第２のバックル部材との連結構造が簡素かつローコストであるにも拘らず、不用意な外力によっては容易に分離せずに安定した連結状態を維持でき、一方、人為的には容易に分離操作を実現できる。従って、バンドを手首部に装着した後は、不用意な外力を受けることがあっても、第１のバックル部材および第２のバックル部材の前記不用意な分離によるバンドの脱落を未然に回避できる。また、前記連結操作は二つのマグネットの磁力を利用するものであるため、極めて簡単かつ迅速に行うことができ、取り扱いの上で便利である。
【００２５】
また、第１のバックル部材および第２のバックル部材に、前記かぎ部材の係止部に対する係止状態を保持する係止保持部材を設けることで、第１のバックル部材と第２のバックル部材との前記係合状態が確実に保持され、従って、人為的操作なしで前記係合状態が不用意に解除されるのを確実に防止することができる。
【図面の簡単な説明】
【図１】本発明の一実施例を示す斜視図
【図２】第１のバックル部材を示す側面図
【図３】第１のバックル部材を示す裏面図
【図４】第１のバックル部材を示す表面図
【図５】第２のバックル部材を示す正面図
【図６】第２のバックル部材を示す側面図
【図７】本発明のバックル全体を示す横断面図
【図８】本発明の他の実施例を示す平面図
【符号の説明】
１…第１のバックル部材
２…第２のバックル部材
３…バンド
４…連結部
５…第１のマグネット
６…係止片
７…かぎ部材
８、１０…凹部
１１…第２のマグネット
１２…挿入孔
Ｓ…係止保持部材
【図１】
0003703449.tif 000002
【図２】
0003703449.tif 000003
【図３】
0003703449.tif 000004
【図４】
0003703449.tif 000005
【図５】
0003703449.tif 000006
【図６】
0003703449.tif 000007
【図７】
0003703449.tif 000008
【図８】
0003703449.tif 000009